(57)【要約】      （修正有）【課題】化粧の際に、眉の脱毛や眉書に使用することができる眉テンプレートを提供する。【解決手段】眉テンプレート１は、開口部３，４を有するテンプレートであり、開口部の形状は、ラインまたはラインの一部を組み合わせて眉Ｂの外形形状Ａを形成することが可能な複数のラインに分割し、分割した複数の分割ライン３ａ〜３ｇ,４a〜４ｇを連続して接続し、接続した分割ライン３a〜３ｇ,４a〜４ｇによって形成した。【選択図】図１
0003131421.tif 000002
【実用新案登録請求の範囲】
【請求項１】
開口部を有するテンプレートであり、
前記開口部の形状は、
ラインまたはラインの一部を組み合わせて眉の外形形状を形成することが可能な複数のラインに分割し、
前記分割した複数の分割ラインを連続して接続し、
前記接続した分割ラインによって形成したことを特徴とする眉テンプレート。
【請求項２】
前記テンプレートは、透明樹脂または半透明樹脂により形成したことを特徴とする請求項1に記載の眉テンプレート。
【請求項３】
前記テンプレートは、眉脱毛の際に、脱毛しない眉を覆うように前記分割ラインまたは前記分割ラインの一部を前記眉の外形に合わせて使用することを特徴とする請求項1または請求項2に記載の眉テンプレート。
【請求項４】
前記テンプレートは、眉書の際に、眉書しない眉を覆うように前記分割ラインまたは前記分割ラインの一部を前記眉の外形に合わせて使用することを特徴とする請求項1または請求項2に記載の眉テンプレート。
【考案の詳細な説明】
【技術分野】
【０００１】
この考案は、化粧の際に用いられる眉テンプレートに関する。
【背景技術】
【０００２】
従来、眉書をする際に用いられる眉テンプレートが知られており、この眉テンプレートには、眉形状の開口部が形成されており、この開口部より眉を描くことにより、理想的な形の眉を描くことができるように構成されている（特許文献１）。
【特許文献１】特開平9-289920号公報
【考案の開示】
【考案が解決しようとする課題】
【０００３】
ところで、化粧の際には、眉を脱毛することがあるが、従来の眉テンプレートの開口部は、理想的な形の眉を描くことができるような一定の形状であり、眉の脱毛には使用することができなかった。
【０００４】
また、従来の眉テンプレートの開口部は、一定の眉形状に決まっており、好みによって眉形状を変えることができなかった。しかも、眉形状の基本形は、人々によって異なり、好みの眉形状も人によって異なるために、種々の眉形状の開口部が形成された眉テンプレートを準備する必要があった。
【０００５】
この考案は、このような従来の課題に鑑みてなされたものであり、化粧の際に、眉の脱毛や眉書に使用することができる眉テンプレートを提供することを目的とする。
【課題を解決するための手段】
【０００６】
前記課題を解決し、かつ目的を達成するために、この考案は、以下のように構成されている。
【０００７】
請求項１に記載の考案は、
開口部を有するテンプレートであり、
前記開口部の形状は、
ラインまたはラインの一部を組み合わせて眉の外形形状を形成することが可能な複数のラインに分割し、
前記分割した複数の分割ラインを連続して接続し、
前記接続した分割ラインによって形成したことを特徴とする眉テンプレートである。
【０００８】
請求項2に記載の考案は、
前記テンプレートは、透明樹脂または半透明樹脂により形成したことを特徴とする請求項1に記載の眉テンプレートである。
【０００９】
請求項3に記載の考案は、
前記テンプレートは、眉脱毛の際に、脱毛しない眉を覆うように前記分割ラインまたは前記分割ラインの一部を前記眉の外形に合わせて使用することを特徴とする請求項1または請求項2に記載の眉テンプレートである。
【００１０】
請求項4に記載の考案は、
前記テンプレートは、眉書の際に、眉書しない眉を覆うように前記分割ラインまたは前記分割ラインの一部を前記眉の外形に合わせて使用することを特徴とする請求項1または請求項2に記載の眉テンプレートである。
【考案の効果】
【００１１】
前記構成により、この考案は、以下のような効果を有する。
【００１２】
請求項１に記載の考案では、テンプレートの開口部の形状が、ラインまたはラインの一部を組み合わせて眉の外形形状を形成することが可能な複数のラインに分割し、この分割した複数の分割ラインを連続して接続し、この接続した分割ラインによって形成しており、化粧の際に、眉の脱毛や眉書に使用することができ、しかも好みによって眉形状を変えることができる。
【００１３】
請求項2に記載の考案では、テンプレートが透明樹脂または半透明樹脂により形成されており、眉を見ながら化粧することができる。
【００１４】
請求項3に記載の考案では、眉脱毛の際には、脱毛しない眉を覆うように分割ラインまたは分割ラインの一部を眉の外形に合わせて使用することで、容易に、かつ確実に不要な毛を脱毛することができる。
【００１５】
請求項4に記載の考案では、眉書の際には、眉書しない眉を覆うように分割ラインまたは分割ラインの一部を眉の外形に合わせて使用することで、容易に、かつ確実に希望する眉が描かれる。
【考案を実施するための最良の形態】
【００１６】
以下、この考案の眉テンプレートの実施の形態について説明するが、この考案の実施の形態は、考案の最も好ましい形態を示すものであり、この考案はこれに限定されない。
【００１７】
図1は眉テンプレートを示すものである。この実施の形態の眉テンプレート１は、透明樹脂または半透明樹脂の薄板によって形成されたテンプレート2であり、このテンプレート2は開口部3,4を有する。この開口部3,4は、2箇所に形成されているが、これに限定されず、1箇所でも3箇所以上に形成しても良い。
【００１８】
開口部3,4の形状は、ラインまたはラインの一部を組み合わせて眉Bの外形形状Aを形成することが可能な複数のラインに分割し、この分割した複数の分割ライン3a〜3ｇ,4a〜4ｇを連続して接続し、この接続した分割ライン3a〜3ｇ,4a〜4ｇによって形成している。複数の分割ライン3a〜3ｇ,4a〜4ｇは、異なる曲線状や直線、あるいは直線に近いものなど種々の形状があり、これらを任意の分割ライン3a〜3ｇ,4a〜4ｇまたは分割ライン3a〜3ｇ,4a〜4ｇの一部に組み合わせて眉Bの外形形状Aにすることができる。
【００１９】
眉脱毛の際には、図2に示すように、テンプレート2を表側にして、脱毛しない眉Bを覆うように分割ライン4fの一部を眉Bの外形に合わせる。したがって、テンプレート2の分割ライン4fの一部から内側の開口部4に位置する眉毛10を抜くことができる。このように、眉脱毛の際には、脱毛しない眉Bを覆うように分割ライン3a〜3ｇ,4a〜4ｇまたは分割ライン3a〜3ｇ,4a〜4ｇの一部を眉Bの外形形状Aに合わせて使用することで、容易に、かつ確実に不要な毛を脱毛することができる。
【００２０】
眉書の際には、図3に示すように、テンプレート2を裏側にして、眉書しない眉Bを覆うように分割ライン3aの一部を眉Bの外形に合わせる。したがって、テンプレート2の分割ライン3aの一部から内側の開口部3に位置する眉毛10に眉墨を付けることができる。このように、眉書の際には、眉書しない眉Bを覆うように分割ライン3a〜3ｇ,4a〜4ｇまたは分割ライン3a〜3ｇ,4a〜4ｇの一部を眉Bの外形形状Aに合わせて使用することで、容易に、かつ確実に希望する眉Bが描かれる。
【００２１】
このように、テンプレート2の開口部3,4の形状が、ラインまたはラインの一部を組み合わせて眉Bの外形形状Aを形成することが可能な複数のラインに分割し、この分割した複数の分割ライン3a〜3ｇ,4a〜4ｇを連続して接続し、この接続した分割ライン3a〜3ｇ,4a〜4ｇによって形成しており、化粧の際に、テンプレート2を眉の脱毛や眉書に使用することができ、しかも好みによって眉形状を自由に変えることができる。また、テンプレート2が透明樹脂または半透明樹脂により形成されており、眉Bを見ながら化粧することができる。
【産業上の利用可能性】
【００２２】
この考案は、化粧の際に用いられる眉テンプレートに適用でき、化粧の際に、眉の脱毛や眉書に使用することができる。
【図面の簡単な説明】
【００２３】
【図１】眉テンプレートを示すものである。
【図２】眉脱毛の際に眉テンプレートを使用する状態を示す図である。
【図３】眉書の際に眉テンプレートを使用する状態を示す図である。
【符号の説明】
【００２４】
1  眉テンプレート
2  テンプレート
3,4  開口部
3a〜3ｇ,4a〜4ｇ  分割ライン
A  眉の外形形状に沿うライン
B  眉
【図１】
0003131421.tif 000003
【図２】
0003131421.tif 000004
【図３】
0003131421.tif 000005